(57)【要約】【課題】板材の切断や組み付け等を行うことなくガーダの製作を容易且つ短時間に行うことができ、コスト削減を図り得る天井クレーンを提供する。【解決手段】ガーダ２を角パイプ２ａによって形成する。【選択図】　　　　図２
2004059161.tif 000002
【特許請求の範囲】
【請求項１】
天井に敷設された一対の走行レール間に掛け渡され且つ該走行レールに沿って走行可能なガーダと、該ガーダにその長手方向へ延びるよう敷設された横行レールに沿って横行可能なトロリーとを備えた天井クレーンにおいて、
ガーダを角パイプによって形成したことを特徴とする天井クレーン。
【請求項２】
横行レールの底面を、角パイプの角部における曲率に倣う形状とした請求項１記載の天井クレーン。
【発明の詳細な説明】
【０００１】
【発明の属する技術分野】
本発明は、工場や各種建屋等の構造物の天井に据え付けられて屋内の荷役を行うための天井クレーンに関するものである。
【０００２】
【従来の技術】
一般に、工場や各種建屋等の構造物においては、屋内での荷役を行うための天井クレーンを装備する場合が多く、こうした天井クレーンは、例えば、図４に示されるような構造のものが多用されている。
【０００３】
図４に示される天井クレーンは、屋内の天井付近に敷設された一対の走行レール１，１間に、断面矩形で内部中空のガーダ２を走行車輪３を介して走行可能に掛け渡し、該ガーダ２に、昇降用フック４を有するトロリー５を、ガーダ２の長手方向へ延びるよう敷設された横行レール６に沿って横行可能に搭載してなる構成を有している。
【０００４】
前記ガーダ２は、図５に示される如く、上フランジ７及び下フランジ８と、内ウェブ９及び外ウェブ１０とにより内部が中空のボックス構造に形成されたものを左右対称に平行配置してなり、該ボックス構造のガーダ２の内部には、その長手方向へ所要間隔をあけて補強用の仕切板１１が設けられている。
【０００５】
前述の如き天井クレーンにおいては、ガーダ２側に備えた図示していない駆動手段によりその両端の走行車輪３を駆動することでガーダ２を図４の紙面と直角な方向に走行させると共に、トロリー５をガーダ２上の横行レール６に沿って横行させることにより、昇降用フック４の位置を走行レール１，１間に形成される平面の任意の位置に移動させた状態で、荷役が行われるようになっている。
【０００６】
【発明が解決しようとする課題】
しかしながら、前述の如き従来の天井クレーンでは、上フランジ７及び下フランジ８と、内ウェブ９及び外ウェブ１０と、仕切板１１とを溶接することによってボックス構造のガーダ２を形成しているため、各板材の切断並びに組み付けに手間と時間がかかり、コストアップにつながるという欠点を有していた。
【０００７】
本発明は、斯かる実情に鑑み、板材の切断や組み付け等を行うことなくガーダの製作を容易且つ短時間に行うことができ、コスト削減を図り得る天井クレーンを提供しようとするものである。
【０００８】
【課題を解決するための手段】
本発明は、天井に敷設された一対の走行レール間に掛け渡され且つ該走行レールに沿って走行可能なガーダと、該ガーダにその長手方向へ延びるよう敷設された横行レールに沿って横行可能なトロリーとを備えた天井クレーンにおいて、
ガーダを角パイプによって形成したことを特徴とする天井クレーンにかかるものである。
【０００９】
上記手段によれば、以下のような作用が得られる。
【００１０】
ガーダを角パイプによって形成すると、従来のように、上フランジ及び下フランジと、内ウェブ及び外ウェブと、仕切板とを溶接することによってボックス構造のガーダを形成するのと異なり、板材の切断並びに組み付け等を行わなくて済み、手間と時間をあまりかけずにガーダを製作することが可能となり、コスト削減につながることとなる。
【００１１】
前記天井クレーンにおいては、横行レールの底面を、角パイプの角部における曲率に倣う形状とすることができ、このようにすると、ガーダの角部に対して横行レールを確実に取り付けることが可能となり、しかも、トロリーから横行レールに作用する力がガーダへ効率良く伝えられる形となる。
【００１２】
【発明の実施の形態】
以下、本発明の実施の形態を図示例と共に説明する。
【００１３】
図１及び図２は本発明を実施する形態の一例であって、図中、図４及び図５と同一の符号を付した部分は同一物を表わしており、基本的な構成は図４及び図５に示す従来のものと同様であるが、本図示例の特徴とするところは、図１及び図２に示す如く、ガーダ２を角パイプ２ａによって形成した点にある。
【００１４】
本図示例の場合、同径の角パイプ２ａを上下に接合すると共に、横行レール６の底面を、角パイプ２ａの角部における曲率に倣う形状として取り付けるようにしてある。
【００１５】
尚、ガーダ２のスパン並びに荷の吊上げ荷重に応じて、例えば、図３に示す如く、異径の角パイプ２ａ，２ｂを上下に接合してガーダ２を形成しても良いことは言うまでもない。
【００１６】
次に、上記図示例の作用を説明する。
【００１７】
ガーダを角パイプ２ａ，２ｂによって形成すると、従来のように、上フランジ７及び下フランジ８と、内ウェブ９及び外ウェブ１０と、仕切板１１とを溶接することによってボックス構造のガーダ２を形成するのと異なり、板材の切断並びに組み付け等を行わなくて済み、手間と時間をあまりかけずにガーダ２を製作することが可能となり、コスト削減につながることとなる。
【００１８】
又、本図示例においては、横行レール６の底面を、角パイプ２ａの角部における曲率に倣う形状としてあるため、ガーダ２の角部に対して横行レール６を確実に取り付けることが可能となり、しかも、トロリー５から横行レール６に作用する力がガーダ２へ効率良く伝えられる形となる。
【００１９】
こうして、板材の切断や組み付け等を行うことなくガーダ２の製作を容易且つ短時間に行うことができ、コスト削減を図り得る。更に、ガーダ２に対する横行レール６の取り付けを確実に行うことができると共に、トロリー５から横行レール６に作用する力をガーダ２へ効率良く伝えることができる。
【００２０】
尚、本発明の天井クレーンは、上述の図示例にのみ限定されるものではなく、本発明の要旨を逸脱しない範囲内において種々変更を加え得ることは勿論である。
【００２１】
【発明の効果】
以上、説明したように本発明の請求項１記載の天井クレーンによれば、板材の切断や組み付け等を行うことなくガーダの製作を容易且つ短時間に行うことができ、コスト削減を図り得るという優れた効果を奏し得、又、本発明の請求項２記載の天井クレーンによれば、上記効果に加え更に、ガーダに対する横行レールの取り付けを確実に行うことができると共に、トロリーから横行レールに作用する力をガーダへ効率良く伝えることができるという優れた効果を奏し得る。
【図面の簡単な説明】
【図１】本発明を実施する形態の一例の正面図である。
【図２】図１のＩＩ−ＩＩ断面図であって、同径の角パイプを組み合せた例を示す断面図である。
【図３】図１のＩＩ−ＩＩ断面相当図であって、異径の角パイプを組み合せた例を示す断面図である。
【図４】従来の天井クレーンの一例を示す正面図である。
【図５】図４のＶ−Ｖ断面図である。
【符号の説明】
１　　　　走行レール
２　　　　ガーダ
２ａ　　角パイプ
２ｂ　　角パイプ
５　　　　トロリー
６　　　　横行レール
【図１】
2004059161.tif 000003
【図２】
2004059161.tif 000004
【図３】
2004059161.tif 000005
【図４】
2004059161.tif 000006
【図５】
2004059161.tif 000007